(57)【要約】【課題】警報停止操作部を設けたガス警報器において、警報停止中に万が一検出対象ガスの漏洩が発生した場合においても警報の遅れを防止して安全を確保することができるガス警報器を提供する。【解決手段】ガス警報器を制御するＣＰＵが、ガスセンサにより検出されたガス濃度が警報値以上のときに警報を発生する。ＣＰＵが、警報が発生しているときに警報停止ボタンの操作が行われると警報を一定時間、強制的に停止する。ＣＰＵが、警報が停止されてから一定時間よりも短い所定時間Ｔ２経過するまでの間にガスセンサにより検出されたガス濃度が上昇しても再警報を発生せず、所定時間Ｔ２経過後にガスセンサにより検出されたガス濃度が上昇したときに再び警報を発生する。【選択図】図２
2010250537.tif 000002
【特許請求の範囲】
【請求項１】
検出対象ガスのガス濃度を検出するガスセンサと、前記ガスセンサにより検出されたガス濃度が警報値以上のときに警報を発生する警報発生手段と、前記警報を停止するための操作が行われる警報停止操作手段と、前記警報が発生しているときに前記警報停止操作手段の操作が行われると前記警報を一定時間、強制的に停止する警報停止手段と、を備えたガス警報器において、
前記警報停止手段による警報停止後に前記ガスセンサにより検出されたガス濃度が上昇したときに再び警報を発生する再警報発生手段を
さらに備えたことを特徴とするガス警報器。
【請求項２】
前記再警報発生手段が、前記警報停止手段により警報が停止されてから前記一定時間よりも短い所定時間経過するまでの間に前記ガスセンサにより検出されたガス濃度が上昇しても再警報を発生せず、前記所定時間経過後に前記ガスセンサにより検出されたガス濃度が上昇したときに再び警報を発生するように設けられている
ことを特徴とする請求項１に記載のガス警報器。
【請求項３】
前記再警報発生手段が、前記警報停止手段により警報が停止されてから前記ガスセンサにより検出されたガス濃度が前記警報値よりも大きい閾値を超えたときにガス濃度が上昇していると判断して再び警報を発生するように設けられている
ことを特徴とする請求項１又は２に記載のガス警報器。
【請求項４】
前記警報停止手段による警報停止後に前記ガスセンサにより検出されたガス濃度の上昇率を算出する上昇率算出手段をさらに備え、
前記再警報発生手段が、前記上昇率算出手段により算出された上昇率が前記警報停止後に最初に算出された上昇率に所定値を加算した値以下の間は再警報を発生せず、前記上昇率算出手段により算出された上昇率が前記警報停止後に最初に算出された上昇率に所定値を加算した値を超えたときに再び警報を発生するように設けられている
ことを特徴とする請求項１〜３何れか１項に記載のガス警報器。
【発明の詳細な説明】
【技術分野】
【０００１】
本発明は、ガス警報器に係り、特に、検出対象ガスのガス濃度を検出するガスセンサと、前記ガスセンサにより検出されたガス濃度が警報値以上のときに警報を発生する警報発生手段と、前記警報を停止するための操作が行われる警報停止操作手段と、前記警報が発生しているときに前記警報停止操作手段の操作が行われると前記警報を一定時間、強制的に停止する警報停止手段と、を備えたガス警報器に関するものである。
【背景技術】
【０００２】
上述したガス警報器としては、ＬＰガス及び都市ガス（検出対象ガス）のガス濃度を検出して警報を発生するガス漏れ警報器や、不完全燃焼時に発生する一酸化炭素ガス（検出対象ガス）のガス濃度を検出して警報を発生する不完全燃焼警報器などが提案されている。上記ガス漏れ警報器は、ＬＰガス又は都市ガスのガス濃度が警報値以上になったときに警報を開始し、その後、警報値以下になったときに警報を停止するように設けられている。なお、ガス漏れ警報器の警報値は、１／４ＬＥＬ（爆発下限界）以下の値に設定されている。また、不完全燃焼警報器も同様に、一酸化炭素ガスのガス濃度が警報値以上になったときに警報を開始し、その後、警報値以下になったときに警報を停止するように設けられている。
【０００３】
上述したガス漏れ警報器や不完全燃焼警報器は、ガスセンサの特性上、調理などで一過性のガスが発生したり、検出対象ガスが混在している殺虫剤などが吹き付けられたりと、ガス漏れが生じていないにも関わらず警報を発生することがある。この警報は、ガスセンサにより検出されるガス濃度が警報値を下回るまで継続する。このように検出対象ガスの漏洩が生じていないにも関わらず警報が継続すると、周囲に迷惑をかけたり、パニックを引き起こす恐れがある。
【０００４】
そこで、一時的に警報を停止させる警報停止スイッチ（警報停止操作手段）を設けたガス警報器が提案されている（特許文献１）。このガス警報器によれば、警報が発生し、その警報原因が例えば殺虫剤などの散布であることが明らかであればユーザは、警報停止スイッチを操作して、警報を一定時間、強制的に停止することができる。
【０００５】
しかしながら、図８に示すように、警報停止スイッチを操作して警報を一定時間Ｔ１、強制的に停止している間に、本当にガス漏れが発生する事態も考えられる。万が一このような事態が発生した場合、上述した従来のガス警報器においては、ガス濃度が警報値以上の状態でどんどん上昇しているにも関わらず警報が発生されず、警報停止スイッチが操作されてから一定時間Ｔ１経過後にようやく警報が発生する。このため、従来のガス警報器では、警報が遅れて非常に危険な状況になる恐れがある。
【先行技術文献】
【特許文献】
【０００６】
【特許文献１】特開２００５−２０８９５７号公報
【発明の概要】
【発明が解決しようとする課題】
【０００７】
そこで、本発明は、警報停止操作部を設けたガス警報器において、警報停止中に万が一検出対象ガスの漏洩が発生した場合においても警報の遅れを防止して安全を確保することができるガス警報器を提供することを課題とする。
【課題を解決するための手段】
【０００８】
上述した課題を解決するためになされた請求項１記載の発明は、検出対象ガスのガス濃度を検出するガスセンサと、前記ガスセンサにより検出されたガス濃度が警報値以上のときに警報を発生する警報発生手段と、前記警報を停止するための操作が行われる警報停止操作手段と、前記警報が発生しているときに前記警報停止操作手段の操作が行われると前記警報を一定時間、強制的に停止する警報停止手段と、を備えたガス警報器において、前記警報停止手段による警報停止後に前記ガスセンサにより検出されたガス濃度が上昇したときに再び警報を発生する再警報発生手段をさらに備えたことを特徴とするガス警報器に存する。
【０００９】
請求項２記載の発明は、前記再警報発生手段が、前記警報停止手段により警報が停止されてから前記一定時間よりも短い所定時間経過するまでの間に前記ガスセンサにより検出されたガス濃度が上昇しても再警報を発生せず、前記所定時間経過後に前記ガスセンサにより検出されたガス濃度が上昇したときに再び警報を発生するように設けられていることを特徴とする請求項１に記載のガス警報器に存する。
【００１０】
請求項３記載の発明は、前記再警報発生手段が、前記警報停止手段により警報が停止されてから前記ガスセンサにより検出されたガス濃度が前記警報値よりも大きい閾値を超えたときにガス濃度が上昇していると判断して再び警報を発生するように設けられていることを特徴とする請求項１又は２に記載のガス警報器に存する。
【００１１】
請求項４記載の発明は、前記警報停止手段による警報停止後に前記ガスセンサにより検出されたガス濃度の上昇率を算出する上昇率算出手段をさらに備え、前記再警報発生手段が、前記上昇率算出手段により算出された上昇率が前記警報停止後に最初に算出された上昇率に所定値を加算した値以下の間は再警報を発生せず、前記上昇率算出手段により算出された上昇率が前記警報停止後に最初に算出された上昇率に所定値を加算した値を超えたときに再び警報を発生するように設けられていることを特徴とする請求項１〜３何れか１項に記載のガス警報器に存する。
【発明の効果】
【００１２】
以上説明したように請求項１記載の発明によれば、再警報発生手段が、警報停止手段による警報停止後に検出対象ガスの漏洩が発生してガスセンサにより検出されたガス濃度が上昇したときに再び警報を発生する。これにより、警報停止中に万が一、検出対象ガスの漏洩が発生した場合でもすぐに再警報を発生することができ、警報の遅れを防止して安全を確保することができる。
【００１３】
ところで、ガス警報器が殺虫剤などの原因で警報した場合、換気してもガス濃度はすぐに低下せずにしばらくしてから低下し始める。即ち、換気してからガス濃度が低下し始めるまでにタイムラグがある。このタイムラグにより、警報停止中に検出対象ガスの漏洩が発生していなくてもガス濃度が上昇する可能性がある。
【００１４】
そこで、請求項２記載の発明によれば、上記タイムラグによりガス濃度が上昇する可能性のある警報が停止されてから所定時間経過するまでの間に、ガスセンサにより検出されたガス濃度が上昇しても再警報を発生しない。よって、換気を行ってからガス濃度が低下し始めるまでの間のガス濃度の上昇を検出対象ガスの漏洩と誤り再警報されるのを防止できる。
【００１５】
また、請求項３記載の発明によれば、警報が停止されてからガスセンサにより検出されたガス濃度が警報値よりも大きい閾値を超えたときにガス濃度が上昇していると判断して再び警報を発生するように設けられている。よって、換気を行ってからガス濃度が低下し始めるまでの間のガス濃度が閾値を超えていなければ、換気を行ってからガス濃度が低下し始めるまでの間のガス濃度の上昇を検出対象ガスの漏洩と誤り再警報されるのを防止できる。
【００１６】
また、請求項４記載の発明によれば、上昇率算出手段により算出された上昇率が警報停止後に最初に算出された上昇率に所定値を加算した値以下の間は再警報を発生しない。よって、換気を行ってからガス濃度が低下し始めるまでの間のガス濃度の上昇を検出対象ガスの漏洩と誤り再警報されるのを防止できる。
【図面の簡単な説明】
【００１７】
【図１】本発明のガス警報器の構成を示すブロック図である。
【図２】第１実施形態におけるガス警報器を構成するＣＰＵの処理手順を示すフローチャートである。
【図３】（Ａ）〜（Ｃ）は各々、第１実施形態におけるガス濃度、図１に示すガスセンサの出力、図１に示すガス警報器の警報発生状態を示すタイムチャートである。
【図４】第２実施形態におけるガス警報器を構成するＣＰＵの処理手順を示すフローチャートである。
【図５】（Ａ）〜（Ｃ）は各々、第２実施形態におけるガス濃度、図１に示すガスセンサの出力、図１に示すガス警報器の警報発生状態を示すタイムチャートである。
【図６】第３実施形態におけるガス警報器を構成するＣＰＵの処理手順を示すフローチャートである。
【図７】（Ａ）〜（Ｃ）は各々、第３実施形態におけるガス濃度、図１に示すガスセンサの出力、図１に示すガス警報器の警報発生状態を示すタイムチャートである。
【図８】（Ａ）〜（Ｃ）は各々、ガス濃度、従来のガス警報器のガスセンサの出力、従来のガス警報器の警報発生状態を示すタイムチャートである。
【発明を実施するための形態】
【００１８】
第１実施形態
以下、第１実施形態における本発明のガス警報器を図１〜図３に基づいて説明する。同図に示すように、ガス警報器１は、ガスセンサ２と、マイクロコンピュータ３（以下μＣＯＭ）と、警報ブザー４と、警報ランプ５と、警報停止操作手段としての警報停止ボタン６と、を備えている。上記ガスセンサ２は、接触燃焼式や半導体式の公知のセンサであり、都市ガス、ＬＰガス、一酸化炭素ガスなどの検出対象ガスのガス濃度を検出する。μＣＯＭ３は、ガス警報器１全体の制御を司るコンピュータであり、ガスセンサ２によって検出されたガス濃度を監視し、ガス濃度が警報値以上になったときに後述する警報ブザー４及び警報ランプ５を制御して警報を発生する。
【００１９】
上記μＣＯＭ３は、プログラムに従って各種の処理を行う中央処理ユニット（ＣＰＵ）３１と、ＣＰＵ３１が行う処理のプログラムなどを格納した読み出し専用のメモリであるＲＯＭ３２と、ＣＰＵ３１での各種の処理過程で利用するワークエリア、各種データを格納するデータ格納エリアなどを有する読み出し書き込み自在のメモリであるＲＡＭ３３と、を有している。上記警報ブザー４は、μＣＯＭ３の制御に従ってブザー音（警報音）を発生する装置である。上記警報ランプ５は、μＣＯＭ３の制御に従って発光する発光素子である。上記警報停止ボタン６は、ユーザが警報を停止したいときに操作するボタンである。
【００２０】
次に、上述した構成のガス警報器１の動作について図２を参照して以下説明する。ガス警報器１の電源オンに応じて、ＣＰＵ３１は図２に示す動作を開始する。まず、ＣＰＵ３１は、ガスセンサ２を制御して検出対象ガスのガス濃度を検出させ、そのガス濃度を取り込む（ステップＳ１）。その後、ＣＰＵ３１は、取り込んだガス濃度が警報値以上か否かを判断する（ステップＳ２）。ガスセンサ２により検出されたガス濃度が警報値以上になると（ステップＳ２でＹ）、ＣＰＵ３１は、警報発生手段として働き、警報ブザー４を鳴動させると共に警報ランプ５を点灯させて警報の発生を開始する（ステップＳ３）。
【００２１】
その後、ＣＰＵ３１は、警報停止ボタン６の操作が行われているか否かを判断する（ステップＳ４）。警報停止ボタン６の操作が行われていなければ（ステップＳ４でＮ）、ＣＰＵ３１は、再びガスセンサ２を制御して検出対象ガスのガス濃度を検出させ、そのガス濃度を取り込む（ステップＳ５）。ステップＳ３の警報に従ってユーザがドアや窓を開けて換気を行うと、ガス警報器１周辺の雰囲気中の検出対象ガスのガス濃度が低下する。これに応じてガスセンサ２により検出されたガス濃度が警報値以下になると（ステップＳ６でＹ）、ＣＰＵ３１は、警報ブザー４及び警報ランプ５による警報を停止した後に（ステップＳ７）、ステップＳ１に戻る。よって、警報停止ボタン６が操作されなければ、ガス警報器１から発生する警報は、ガス濃度が警報値以上になってからその後、警報値以下に低下するまでの間、発生する。
【００２２】
一方、殺虫剤などの散布中にガス警報器１が警報を発生すると、ユーザは、殺虫剤などの散布による誤警報であるとして警報停止ボタン６を操作すると共に換気を開始する。警報停止ボタン６の操作が行われると（ステップＳ４でＹ）、ＣＰＵ３１は、警報停止手段として働き、ガス濃度が警報値以下になっていなくても直ちに警報を停止する（ステップＳ８）。その後、ＣＰＵ３１は、ステップＳ８で警報を停止してから一定時間Ｔ１よりも長い所定時間Ｔ２経過したか否か判断する（ステップＳ９）。所定時間Ｔ２経過すると（ステップＳ９でＹ）、ＣＰＵ３１は、再びガスセンサ２を制御して検出対象ガスのガス濃度を検出させ、そのガス濃度を取り込む（ステップ１０）。
【００２３】
このとき、新たに検出対象ガスの漏洩が発生しておらず、ガス濃度が上昇していなければ（ステップＳ１１でＮ）、ＣＰＵ３１は、ステップＳ８の警報停止から一定時間Ｔ１経過したか否かを判断する（ステップＳ１２）。一定時間Ｔ１経過していれば（ステップＳ１２でＹ）、ＣＰＵ３１は、再びステップＳ１に戻る。ステップＳ１に戻ったとき、ガス濃度が警報値以上であれば再びステップＳ３に進んで再び警報が発生される。よって、警報停止ボタン６を操作すると、停止後に新たに検出対象ガスの漏洩が生じていなければ、一定時間Ｔ１、強制的に警報が停止される。
【００２４】
これに対して、ステップＳ８の警報停止後に新たに検出対象ガスの漏洩が生じて、ガス濃度が上昇すると（ステップＳ１１でＹ）、ＣＰＵ３１は、再警報発生手段として働き、検出対象ガスの漏洩が発生したと判断して再び警報ブザー４を鳴動すると共に警報ランプ５を点灯させて再警報を発生する（ステップＳ１３）。この再警報によりユーザに対して検出対象ガスの漏洩が生じていることを報知することができる。再警報発生後、ＣＰＵ３１は、再びガスセンサ２を制御して検出対象ガスのガス濃度を検出させ、そのガス濃度を取り込む（ステップ１４）。ステップＳ１３の再警報により、ユーザは既に換気を止めていた場合は再び換気を開始する。その結果、ガス濃度が警報値以下になると（ステップＳ１５でＹ）、ＣＰＵ３１は、警報を停止して（ステップＳ１６）、再びステップＳ１に戻る。
【００２５】
次に、上述したガス警報器１の動作を図３を参照してより詳しく説明する。ユーザがガス警報器１の周辺で検出対象ガスを含む殺虫剤などを散布するなどすると、ガス警報器１の検出対象ガスのガス濃度が上昇してガスセンサ２により検出されたガス濃度が警報値以上になるとガス警報器１から警報が発生する。ユーザはこの警報に応じて換気を開始すると共に警報停止ボタン６を操作すると、ガス警報器１からの警報が停止する。ところで、換気を開始してもガス濃度はすぐに低下せずにしばらくしてから低下し始める。即ち、換気してからガス濃度が低下し始めるまでにはタイムラグＴ３がある。このタイムラグＴ３により、換気して警報停止した後にガス濃度が上昇する可能性がある。
【００２６】
上述したガス警報器１は、タイムラグＴ３によりガス濃度が上昇する可能性のある警報停止してから所定時間Ｔ２経過するまでの間にガス濃度が上昇しても再警報を発生しないようにしている。これにより、換気を行ってからガス濃度が低下し始めるまでの間のガス濃度の上昇を新たな検出対象ガスの漏洩と誤り誤警報されるのを防止できる。そして、ガス警報器１は、警報を停止してから所定時間Ｔ２経過後にガス濃度の上昇を検出すると、新たな検出対象ガスの漏洩発生と判断して、再警報を発生する。これにより、警報停止中に万が一検出対象ガスの漏洩が発生した場合でもすぐに再警報を発生することができ、警報の遅れを防止して安全を確保することができる。
【００２７】
第２実施形態
次に、第２実施形態における本発明のガス警報器を説明する。なお、第２実施形態におけるガス警報器１の構成は、第１実施形態と同様であるためここでは詳細な説明は省略する。次に、第２実施形態のガス警報器１の動作について図４及び図５を参照して以下説明する。図４において、上述した図２について第１実施形態で既に説明したガス警報器１が行う動作と同等のステップには同一符号を付してその詳細な説明を省略する。ガス警報器１の電源オンに応じて、ＣＰＵ３１は図４に示す動作を開始する。
【００２８】
ＣＰＵ３１は、ステップＳ１〜Ｓ８までの動作は上述した第１実施形態と同じであるため、詳細な説明を省略する。ステップＳ８で警報停止した後、ＣＰＵ３１は、再びガスセンサ２を制御して検出対象ガスのガス濃度を検出させ、そのガス濃度を取り込む（ステップＳ１７）。次に、ＣＰＵ３１は、図５に示すように、取り込んだガス濃度が警報値よりも大きな値である閾値以上になったときに（ステップＳ１８でＹ）、警報停止中に新たに検出対象ガスの漏洩が発生して、これによりガス濃度が上昇したと判断して、再警報を発生する（ステップＳ１３）。その後、ＣＰＵは、第１実施形態と同様にステップＳ１４〜Ｓ１６の動作を行う。一方、ＣＰＵ３１は、取り込んだガス濃度が閾値以下であれば（ステップＳ１８でＮ）、ステップＳ１２に進み、警報停止してから一定時間Ｔ１が経過すると（ステップＳ１２でＹ）、再びステップＳ１に戻る。
【００２９】
上述したようにガス警報器１によれば、警報が停止されてからガスセンサ２により検出されたガス濃度が警報値よりも大きい閾値を超えたときにガス濃度が上昇していると判断して再び警報を発生するように設けられている。よって、換気を行ってからガス濃度が低下し始めるまでの間のガス濃度が閾値を超えていなければ、換気を行ってからガス濃度が低下し始めるまでの間のガス濃度の上昇を検出対象ガスの漏洩と誤り再警報されるのを防止できる。
【００３０】
第３実施形態
次に、第３実施形態における本発明のガス警報器を説明する。なお、第３実施形態におけるガス警報器１の構成は、第１実施形態と同様であるためここでは詳細な説明は省略する。次に、第３実施形態のガス警報器１の動作について図６及び図７を参照して以下説明する。図６において、上述した図２について第１実施形態で既に説明したガス警報器１が行う動作と同等のステップには同一符号を付してその詳細な説明を省略する。ガス警報器１の電源オンに応じて、ＣＰＵ３１は図６に示す動作を開始する。
【００３１】
ＣＰＵ３１は、ステップＳ１〜Ｓ８までの動作は上述した第１実施形態と同じであるため、詳細な説明を省略する。ステップＳ８で警報停止した後、ＣＰＵ３１は、ΔＴ時間経過するのを待って（ステップＳ１９でＹ）、再びガスセンサ２を制御して検出対象ガスのガス濃度を検出させ、今回検出したガス濃度から前回検出したガス濃度を差し引いた値を警報停止後に最初に検出した上昇率ΔＶ0として算出する（ステップＳ２０）。
【００３２】
その後、前回上昇率を算出してからΔＴ時間経過するのを待って（ステップＳ２１でＹ）、ＣＰＵ３１は、再びガスセンサ２を制御して検出対象ガスのガス濃度を検出させ、今回検出したガス濃度から前回検出したガス濃度を差し引いた値を上昇率ΔＶnとして算出する（ステップＳ２２）。その後、ＣＰＵ３１は、ステップＳ２２で算出した上昇率ΔＶnがステップＳ２０で算出した上昇率ΔＶ0に所定値αを加えた値（ΔＶ0＋α）を超えたか否かを判断する（ステップＳ２３）。
【００３３】
警報停止後に新たな検出ガスの漏洩が生じていなく、ガスセンサ２により検出されるガス濃度の上昇率が低いうちはΔＶ0＋α≧ΔＶnとなり（ステップＳ２３でＮ）、ＣＰＵ３１は、ステップＳ１２に進む。ステップＳ１２において、ＣＰＵ３１は、警報停止から一定時間経過していなければ（ステップＳ１２でＮ）、再びステップＳ２１に戻る。このステップＳ２１、Ｓ２２を繰り返すことにより、図７に示すように、警報停止が行われてからΔＴ時間毎に上昇率ΔＶ1、Ｖ2…と算出が行われる。
【００３４】
これに対して、警報停止後に新たな検出ガスの漏洩が生じ、ガスセンサ２により検出されるガス濃度が急増するとΔＶ0＋α＜ΔＶnとなり（ステップＳ２３でＹ）、ＣＰＵ３１は、ステップＳ１３に進んで再警報を発生する。その後、ＣＰＵ３１は、第１実施形態と同様にステップＳ１４〜Ｓ１６の動作を行う。なお、上述した所定値αは、例えば上述したタイムラグＴ３中であってガス濃度の上昇が生じている間に、計測誤差及びガス濃度の揺らぎが生じてもΔＶ0＋α＜ΔＶnとならないような値に設定されている。
【００３５】
上述したガス警報器１によれば、ΔＴ時間毎に算出された上昇率ΔＶnが警報停止後に最初に算出された上昇率ΔＶ0に所定値αを加算した値以下の間は再警報を発生しない。よって、換気を行ってからガス濃度が低下し始めるまでの間のガス濃度の上昇を検出対象ガスの漏洩と誤り再警報されるのを防止できる。
【００３６】
また、上述した第１実施形態では、警報が停止されてから所定時間Ｔ２経過するまでの間にガスセンサ２により検出されたガス濃度が上昇しても再警報は発生しないようにしていたが、例えば第２実施形態と組み合わせて警報が停止されてから所定時間Ｔ２経過する前であってもガス濃度が閾値以上となれば再警報するようにしてもよい。また、第３実施形態と組み合わせて警報が停止されてから所定時間Ｔ２経過する前であってもΔＶ0＋α＜ΔＶnとなれば再警報を発生するようにしてもよい。
【００３７】
また、上述した第２実施形態では、ΔＶ0＋α＜ΔＶnとなるまで再警報を発生していなかったが、例えば第３実施形態と組み合わせてΔＶ0＋α＜ΔＶnとなる前であってもガス濃度が閾値以上となれば再警報を発生するようにしてもよい。
【００３８】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３９】
２    ガスセンサ
６    警報停止ボタン（警報停止操作手段）
３１  ＣＰＵ（警報発生手段、警報停止手段、再警報発生手段）
Ｔ１  一定時間
【図１】
2010250537.tif 000003
【図２】
2010250537.tif 000004
【図３】
2010250537.tif 000005
【図４】
2010250537.tif 000006
【図５】
2010250537.tif 000007
【図６】
2010250537.tif 000008
【図７】
2010250537.tif 000009
【図８】
2010250537.tif 000010